(57)【要約】      （修正有）【課題】複数のムーブメントが配置される時計のムーブメント配置形態を工夫して時計の小径化が図れるアナログ電子時計を提供する。【解決手段】回路基板２５に複数のムーブメント２２、２３、２４を取り付けるアナログ電子時計において、各ムーブメントは、ムーブメント本体と、このムーブメント本体から突設する筒車軸を備え、１つのムーブメント２２は、その筒車軸を正面側に設けて回路基板２５の正面側に配置し、他のムーブメント２３、２４は、正面側のムーブメント２２を挟んだ一対の態様として回路基板２５の裏面側に配置し、当該一対のムーブメントは、その筒車軸を回路基板２５から正面側へ貫通させて配置し、一対のムーブメントの各ムーブメント本体２３ａ、２４ａを、正面側のムーブメントのムーブメント本体２２ａに対し、回路基板２５の正面視において一部重畳するように配置した。【選択図】図５
2018204967.tif 000002
【特許請求の範囲】
【請求項１】
時計制御用の回路基板（２５）を時計文字板と並行に配置し、この回路基板（２５）に複数のムーブメント（２２）、（２３）、（２４）を取り付けるアナログ電子時計（１）において、
前記ムーブメント（２２）、（２３）、（２４）は、ムーブメント本体（２２ａ）、（２３ａ）、（２４ａ）と、このムーブメント本体（２２ａ）、（２３ａ）、（２４ａ）から突設する筒車軸（２２ｂ）、（２３ｂ）、（２４ｂ）を備え、
前記複数のムーブメント（２２）、（２３）、（２４）のうちの１つのムーブメント（２２）は、その筒車軸（２２ｂ）を正面側に設けて前記回路基板（２５）の正面側に配置し、
他のムーブメント（２３）、（２４）は、前記正面側のムーブメント（２２）を挟んだ一対の態様として前記回路基板（２５）の裏面側に配置するとともに、当該一対のムーブメント（２３）、（２４）は、その筒車軸（２３ｂ）、（２４ｂ）を前記回路基板（２５）から正面側へ貫通させて配置し、
さらに前記一対のムーブメント（２３）、（２４）の各ムーブメント本体（２３ａ）、（２４ａ）を、前記正面側のムーブメント（２２）のムーブメント本体（２２ａ）に対し、前記回路基板（２５）の正面視において一部重畳するように配置したことを特徴とするアナログ電子時計（１）。
【請求項２】
前記請求項１記載のアナログ電子時計（１）とスマートフォン（３０）とを近距離無線通信で接続してなる撮像遠隔操作装置であって、前記アナログ電子時計（１）を操作することにより、前記スマートフォン（３０）のカメラシャッタータイマーが作動するように設けたことを特徴とするアナログ電子時計を用いたスマートフォンの撮像遠隔操作装置。
【発明の詳細な説明】
【技術分野】
【０００１】
本発明は、アナログ電子時計とこれを用いる撮像遠隔操作装置に係り、より詳しくは、アナログ電子時計のムーブメント配置構造とこのアナログ電子時計を用いてスマートフォンの撮像を遠隔操作する撮像遠隔操作装置に関する。
【背景技術】
【０００２】
従来において、時分針のほかに機能針を設置したアナログ時計が知られている。機能針としては、クロノグラフ機能のストップウオッチ針や温度湿度表示針が一般的である（特許文献１）。
【０００３】
また、近時は、アナログ時計の電子化に伴い、例えば、アナログ電子時計が腕時計型端末装置として用いられることにより、スマートフォンとの協働（コラボレーション）による撮像遠隔操作システムや、スマートフォンによる送受信、メール受信などにおいてもアナログ電子時計の適用が拡張される傾向にある（特許文献２−４）。
【０００４】
例えば、特許文献２に開示されている技術は、腕時計型端末装置から携帯電話のカメラを、ブルートゥース（Ｂｌｕｅｔｏｏｔｈ；登録商標）などの近距離無線通信を介して、操作するものである。
【０００５】
この特許文献２に開示されたシステムは、携帯電話と、腕時計型端末装置とから構成されるものであって、この携帯電話は、制御部と、前記腕時計型端末装置と通信できる近距離無線通信部と、カメラとを有している。また、前記腕時計型端末装置は、制御部と、前記携帯電話装置と通信できる近距離無線通信部と、時計回路と、表示部と、操作ボタンとを有している。
【０００６】
そして、前記携帯電話の制御部は、カメラによる撮影モードが起動された後に、カメラを外部から受信されたコマンドにより制御するリモートシャッター機能が起動されたときに、前記腕時計型端末装置に対して、リモートシャッターモードを開始させるコマンドを近距離無線通信部を介して送信する機能と、リモートシャッター機能が起動されている場合に、前記腕時計型端末装置から近距離無線通信部を介してモニター画像の取得を要求するコマンドを受信したときに、カメラに撮像されている画像データを前記腕時計型端末装置に送信する機能と、リモートシャッター機能が起動されている場合に、前記腕時計型端末装置から近距離無線通信部を介してシャッターの押下を指示するコマンドを受信したときに、カメラによる撮影を実行させる機能と、カメラによる撮影モードが終了されたときに、前記腕時計型端末装置に対して、リモートシャッターモードを終了させるコマンドを、近距離無線通信部を介して送信する機能を有する。
【０００７】
また、前記腕時計型端末装置の制御部は、前記携帯電話装置から、近距離無線通信部を介してリモートシャッターモードを開始させるコマンドを受信したときに、リモートシャッターモードを開始させる機能と、リモートシャッターモードにおいて、近距離無線通信部を介して前記携帯電話装置に対しモニター画像の取得を要求するコマンドを送信する機能と、モニター画像の取得を要求するコマンドに応じて前記携帯電話装置から受信した画像データを表示部に表示する機能と、リモートシャッターモードにおいて、所定の操作ボタンの操作に応じて、前記携帯電話装置に対してシャッターの押下を指示するコマンドを近距離無線通信部を介して送信する機能と、前記携帯電話装置から、近距離無線通信部を介して前記リモートシャッターモードを終了させるコマンドを受信したときに、リモートシャッターモードを終了させる機能とを有するものである。
【０００８】
この特許文献２に開示されたシステムによれば、カメラ付き携帯電話の動作モードを、リモートシャッター機能を用いるモードに変更するだけで、腕時計型端末装置の動作モードが自動的にカメラを制御するモードに変更され、カメラ付き携帯電話のカメラの動作を終了させるのみで、腕時計型端末装置のリモートシャッターモードが終了されるので、携帯電話側の操作のみで、腕時計型端末装置の動作モードも制御することができ、煩雑な操作が不要となり、容易にカメラ付き携帯電話のカメラを遠隔制御することが可能となる作用効果を奏することとなる。
【０００９】
また、従来において、デジタルカメラと腕時計型電子機器とを無線通信で接続して、その腕時計型電子機器でデジタルカメラを操作するものも知られている（特許文献３）。
【００１０】
この特許文献３に開示されたシステムは、腕時計型電子機器にタイマー手段を具備させ、そして、腕時計型電子機器にてタイマー撮影のカウント動作を開始させるためのタイマー開始指示の信号が送信されると、この信号を受信したデジタルカメラにてタイマーのカウント動作が開始され、次いで、デジタルカメラと腕時計型電子機器との間で所定の通信が行われることにより、双方のカウント動作が連動される。そして、腕時計型電子機器ではカウント値に基づく報知が行われ、また、撮影が終了すると、デジタルカメラから送信される撮影終了の信号が受信されて、腕時計型電子機器にて撮影終了の旨が報知されるものである。
【００１１】
また、近時、腕時計型アナログ電子機器とスマートフォンとを無線通信で接続して、スマートフォンが受信したメッセージ情報をアナログ電子機器にて認識するものも提案されている（特許文献４）。
【先行技術文献】
【特許文献】
【００１２】
【特許文献１】特開平１１−３５２２６３号公報
【特許文献２】特開２００９−１１８４７４号公報
【特許文献３】特開２００５−０７０３９２号公報
【特許文献４】特開２０１６−１３３４４２号公報
【発明の概要】
【発明が解決しようとする課題】
【００１３】
時計の径は、一般にムーブメントサイズに依存する。とりわけ機能針を設けるいわゆるマルチ時計の場合は、ムーブメントは指針用のほかに機能針用のムーブメントを設けるため、複数のムーブメントを配置する。ムーブメントはモータと輪列を備えたギアムーブメントが用いられるため、各ムーブメント径が直接に時計の径に影響する。とりわけ腕時計の径は製品の美感に与える影響が大きく、使用者の手首の太さとのバランスを考えた径で設計する必要がある。この点一般に女性向けの腕時計は男性向けの腕時計に比べて小径である。また、アナログ電子時計を腕時計型として用いる場合、スマートフォンとの協働（コラボレーション）による撮像遠隔操作システムの構築において組み込み部品が増加するので、アナログ電子時計のギア部総体の小径化が望まれている。
【００１４】
そこで、本発明は、複数のムーブメントが配置されるアナログ電子時計において、ムーブメントの配置形態を工夫することにより、時計の小径化を図ることができるアナログ電子時計を提案するものである。
【００１５】
ところで、前記特許文献２のように、近距離無線通信を介して腕時計型端末装置から携帯電話のカメラを操作するものは、腕時計型端末装置にてシャッター操作をするので、携帯電話のカメラを遠隔制御することが可能となる利点はあるものの、写真をとる人が腕時計型端末装置を操作した状態で写ってしまう不都合がある。
【００１６】
この点、前記特許文献３のように、タイマー撮影のカウント動作を具備すれば特許文献２の前記不都合を解消できることになる。しかしながら、この特許文献３の場合は、腕時計型電子機器にタイマー手段を具備しているとともに、タイマー撮影のカウント動作は、カメラのない腕時計型電子機器で操作されてスタートするように構成されている。
【００１７】
そうすると、特許文献３の場合は、腕時計型電子機器においてシャッター操作を行う人によるシャッター時と、これが近距離無線通信を介して携帯電話に到達して開始されるカメラのシャッター開始時との間において、送受信される通信サイクルに起因するタイムラグや、機械的なシャッター操作がなされてからＯＮ信号を発生するタイムラグなどの不具合を生じ得る。
【００１８】
さらに、特許文献３の場合は、携帯電話と腕時計型電子機器との間に前述したタイムラグが生じ、また、携帯電話と腕時計型電子機器の同期状態を視覚的あるいは触覚的に認識できる手段が施されていないので、タイムラグが発生した場合にこれを検知し除去することが困難である。
【００１９】
なお、特許文献４のように、スマートフォンと腕時計型アナログ電子機器とを無線通信で接続して、スマートフォンが受信したメッセージ情報をアナログ電子機器にて認識するものには、腕時計型アナログ電子機器でスマートフォンのカメラを操作することに関しては言及されていない。
【００２０】
そこで、本発明の他の目的は、近時多く用いられている腕時計型アナログ電子時計とスマートフォンとを無線通信で接続して同期させ、操作者つまり腕時計型アナログ電子時計の側において双方の同期状態を視覚的および触覚的に認識できる手段を備えて、上記従来の欠点を除去し得る撮像遠隔操作装置を提供することにある。
【課題を解決するための手段】
【００２１】
本願第１請求項に記載した発明は、実施例で用いた符号を付して記すと、時計制御用の回路基板２５を時計文字板と並行に配置し、この回路基板２５に複数のムーブメント２２、２３、２４を取り付けるアナログ電子時計１において、
前記ムーブメント２２、２３、２４は、ムーブメント本体２２ａ、２３ａ、２４ａと、このムーブメント本体２２ａ、２３ａ、２４ａから突設する筒車軸２２ｂ、２３ｂ、２４ｂを備え、
前記複数のムーブメント２２、２３、２４のうちの１つのムーブメント２２は、その筒車軸２２ｂを正面側に設けて前記回路基板２５の正面側に配置し、
他のムーブメント２３、２４は、前記正面側のムーブメント２２を挟んだ一対の態様として前記回路基板２５の裏面側に配置するとともに、当該一対のムーブメント２３、２４は、その筒車軸２３ｂ、２４ｂを前記回路基板２５から正面側へ貫通させて配置し、
さらに前記一対のムーブメント２３、２４の各ムーブメント本体２３ａ、２４ａを、前記正面側のムーブメント２２のムーブメント本体２２ａに対し、前記回路基板２５の正面視において一部重畳するように配置したことを特徴とするアナログ電子時計１である。
【００２２】
本願第２請求項に記載した発明は、前記請求項１記載のアナログ電子時計１とスマートフォン３０とを近距離無線通信で接続してなる撮像遠隔操作装置であって、前記アナログ電子時計１を操作することにより、前記スマートフォン３０のカメラシャッタータイマーが作動するように設けたことを特徴とするアナログ電子時計を用いたスマートフォンの撮像遠隔操作装置である。
【発明の効果】
【００２３】
本願第１請求項に記載したアナログ電子時計１によれば、複数のムーブメント２２、２３、２４のうちの１つのムーブメント２２は、その筒車軸２２ｂを正面側に設けて回路基板２５の正面側に配置し、他のムーブメント２３、２４は、正面側のムーブメント２２を挟んだ一対の態様として回路基板２５の裏面側に配置するとともに、当該一対のムーブメント２３、２４は、その筒車軸２３ｂ、２４ｂを回路基板２５から正面側へ貫通させて配置し、また、前記一対のムーブメント２３、２４の各ムーブメント本体２３ａ、２４ａを、正面側のムーブメント２２のムーブメント本体２２ａに対し、回路基板２５の正面視において一部重畳するように配置したので、すなわち、正面側のムーブメント２２と一対のムーブメント２３、２４とを、いわば互い違いにして且つ一部重ねて配置したので、ムーブ径の影響を減らして製品径を小さくすることができる。
【００２４】
また、回路基板２５の前面側と裏面側にムーブメント２２、２３、２４を配置したので、１枚の回路基板で全てのムーブメントを保持し制御することができ、これにより配置の省スペース化と電気的導通の合理化を図ることができる。
【００２５】
さらに、本願第２請求項に記載した撮像遠隔操作装置によれば、小径化可能なアナログ電子時計を得て、スマートフォンの撮像遠隔操作システムを構築することができる。
【図面の簡単な説明】
【００２６】
【図１】本発明の実施例に係り、腕時計型のアナログ電子時計を示す正面図である。
【図２】本発明の実施例に係り、スマートフォンとこれに近距離無線通信で接続されるアナログ電子時計を示す図である。
【図３】本発明の実施例に係り、スマートフォンとこれに近距離無線通信で接続されるアナログ電子時計の双方により構成される情報処理システムを示すブロック図である。
【図４】本発明の実施例に係り、回路基板にムーブメントが配置された状態を示す図で、（１）は正面図、（２）は側面図である。
【図５】本発明の実施例に係り、回路基板にムーブメントが一部重畳配置された状態を示す図で、（１）は正面図、（２）は側面図である。
【図６】本発明の実施例に係り、アナログ電子時計の回路基板にムーブメントと電子部品が配置された状態を示す図である。
【図７】本発明の実施例に係り、アナログ電子時計に備えられたカメラアイコン表示部を示す図である。
【図８】本発明の実施例に係り、スマートフォンとこれに近距離無線通信で接続される電子時計との間におけるリモートシャッター動作の基本的なシーケンズを示す図である。
【図９】本発明の実施例に係り、カメラアプリが開かれアナログ電子時計の機能針がカメラアプリ起動中のアイコンへ移動した状態における時計正面とカメラアイコン表示部を示す図である。
【図１０】本発明の実施例に係り、カメラアプリが開かれアナログ電子時計の機能針がカメラアプリ起動中のアイコンへ移動した際においてファンクションボタンが押された状態を示す時計正面図である。
【図１１】本発明の実施例に係り、アナログ電子時計のファンクションボタンが押されてカウントダウンがスタートした状態における時計正面とスマートフォンの表示面を示す図である。
【図１２】本発明の実施例に係り、アナログ電子時計のファンクションボタンが押されてカウントダウンが進んでいる状態におけるスマートフォンの表示面を示す図である。
【図１３】本発明の他の実施例に係り、アナログ電子時計のファンクションボタンが押されてカウントダウンが進んでいる状態におけるスマートフォンの表示面を示す図である。
【図１４】本発明の他の実施例に係り、シャッターが作動した状態におけるスマートフォンの表示面を示す図である。
【発明を実施するための形態】
【００２７】
以下に、本発明の実施例を図面に基づいて説明する。
【００２８】
本発明の実施例は、腕時計型のアナログ電子時計１とスマートフォン３０とを近距離無線通信で接続し、後に詳述するように、アナログ電子時計１の操作ボタン（ファンクションボタン６）を操作してスマートフォン３０のカメラシャッタータイマー手段のカウント動作を開始させるとともに、アナログ電子時計１のカウント動作が連動するようにし、所定時間後にスマートフォン３０のシャッターが作動する撮像遠隔操作システムを基本構成としている。
【００２９】
本例の撮像遠隔操作システムにおいては、アナログ電子時計１を装着している人が被写体となり、スマートフォン３０は他の人が把持しているか、またはスタンドや三脚などにスマートフォン３０を取り付けて行われる。
【００３０】
そして、この撮像遠隔操作システムにおける遠隔操作方法の概略を説明すると、次のとおりである。すなわち、アナログ電子時計１が操作されてスマートフォン３０のカメラシャッタータイマー手段が開始されると、スマートフォン３０の表示面３８にカウントダウンの数字が表示される。一方、アナログ電子時計１では、このカウントダウンに同期してバイブレーションが作動し、当該カウントダウンの終了と同時に、スマートフォン３０のシャッターが作動する。これにより、アナログ電子時計１を操作することにより、スマートフォン３０のシャッターが制御される。
【００３１】
図１および図２に示すように、本例のアナログ電子時計１は、指針２（時針２ａ、分針２ｂ）のほかに秒針２ｃと、機能針３ａを備えた機能表示部３を設けている。また、時計側部には、リューズ５、上記ファンクションボタン６、そしてブルートゥースボタン７を設けている。
【００３２】
なお、リューズ５は、手動時刻合わせに供されるもので、これを回して時分針が回動する。ファンクションボタン６はプッシュ式スイッチにより構成され、本例では４秒長押しするとスマホ検索、電話・メール着信時には、これをプッシュすると、後述するアイコン４ｅまたはアイコン４ｆを指していた機能針３ａを元に戻し、カメラ起動時には、プッシュするとスマートフォン３０のシャッターを作動させ、アラーム起動時には、プッシュするとアラームを止める作用をなす。また、ブルートゥースボタン７は、プッシュ式スイッチにより構成され、本例では２秒長押しすると、初回接続時はペアリングモードを、２回目以降はブルートゥースＯＮ、ブルートゥース接続時はブルートゥースＯＦＦを実現する。さらに、アラーム起動時にブルートゥースボタン７をプッシュすると、アラームを止める作用を行う。
【００３３】
また、本例では、アナログ電子時計１とスマートフォン３０との無線通信によるデータ授受に応じて、アナログ電子時計１の機能針３ａが、ブルートゥース接続のＯＮとＯＦＦ、アラーム通知、カメラアプリ起動、メール・アプリ通知、電話着信など、それぞれの状態表示を指すように構成されている。その状態表示は、機能表示部３の複数のアイコン４によって示される。すなわち、図７に示すように、アイコン４ａは「ブルートゥース接続ＯＮ」、アイコン４ｂは「ブルートゥース接続ＯＦＦ」、アイコン４ｃは「アラーム通知」、アイコン４ｄは「カメラアプリ起動中」、アイコン４ｅは「メール・アプリ通知有り」、アイコン４ｆは「電話着信有り」である。
【００３４】
アナログ電子時計１は、図３に示すように、このアナログ電子時計１の全体を制御する制御部１１、スマートフォン３０と通信するためのブルートゥース通信部１２、制御部１１が実行する種々のプログラムや初期設定データを格納するＲＯＭおよび制御部１１に作業用のメモリー空間を提供するＲＡＭを含む記憶部１３、現在時刻を計数して保持するカウンターである計時回路１４、計時回路１４の計数する現在時刻に基づいてステッピングモータ１８を駆動させる駆動回路１５、また、振動モータなどを備えた振動部２１を駆動させる駆動回路１６、およびスイッチ１７を備える。なお、符号１９は時針分針部、２０は機能針部である。本例では、時針針部１９の時針２ａおよび分針２ｂと、秒針２ｃ、機能針部２０の機能針３ａは、それぞれ個別のステッピングモータ１８により作動される。
【００３５】
また、本例においては、図４〜図６に示すように、それぞれ個別のステッピングモータを備えたムーブメント２３（２３ａ、２３ｂ、２３ｃ）が、回路基板２５に設置されている。すなわち、ムーブメント２３（２３ａ、２３ｂ、２３ｃ）の基本的配置形態は図４に示すように、時分針用ムーブメント２３ａが回路基板２５の中央部、秒針用ムーブメント２３ｂが図中の下部、機能針用ムーブメント２３ｃが図中の上部に、それぞれ隣接して配置される。
【００３６】
本例の場合は、図５および図６に示すように、時分針用ムーブメント２３ａが回路基板２５の中央部、秒針用ムーブメント２３ｂが図中の下部、機能針用ムーブメント２３ｃが図中の上部に、そして、それぞれ隣接するムーブメントの各一部が重なるように、配置されている。これらのムーブメント２３（２３ａ、２３ｂ、２３ｃ）の左右には、無線モジュールなどの電子部品２６が配置されている。このように、ムーブメント２３と重ならない回路基板２５のスペースに電子部品２６を配置することで、厚みや径に影響を与えないため、アナログ電子時計１をコンパクト化することができる。すなわち、回路基板２５の前面側と裏面側にムーブメント２２、２３、２４を配置したので、１枚の回路基板で全てのムーブメントを保持し制御することができ、これにより配置の省スペース化と電気的導通の合理化を図ることができる。さらに、本例の撮像遠隔操作装置によれば、小径化可能なアナログ電子時計を得て、スマートフォンの撮像遠隔操作システムを構築することができる。
【００３７】
スマートフォン３０は、図３に示すように、このスマートフォン３０の全体を制御する制御部３１、アナログ電子時計１と通信するためのブルートゥース通信部３２、制御部３１が実行する種々のプログラムや初期設定データを格納するＲＯＭおよび制御部３１に作業用のメモリー空間を提供するＲＡＭを含む記憶部３３、本例のように遠隔操作するためのカメラシャッタータイマー手段などのプログラムを備えたアプリ３４、カメラ３５、シャッター時にスピーカーからシャッター音などを発生させるＳＰ（スピーカー）３６、振動モータなどを備えた振動部３７を備える。なお、スマートフォン３０が備える表示部３８、操作部、および通信方式などの基本構成は公知であるので、図示や詳細説明は省略している。
【００３８】
上述したアナログ電子時計１およびスマートフォン３０にてなされる撮像遠隔操作システムの詳細は以下のとおりである。
【００３９】
図８に示すように、予めスマートフォン３０とアナログ電子時計１との間で、例えば５秒間隔で無線通信してブルートゥース接続（ペアリング）する。接続中は、スマートフォン３０の表示面３８に図２に示すような画面が表れる。接続に成功すると、スマートフォン３０の表示面３８はアプリのメイン画面（図示を省略）に移行するとともに、アナログ電子時計１では、振動部２１のバイブレーションが作動し、時刻がスマートフォン３０の時刻と同期する。このとき、アナログ電子時計１の機能表示部３において、機能針３ａは「ブルートゥース接続ＯＮ」のアイコン４ａを指す（図７参照）。
【００４０】
ここでスマートフォン３０の表示面３８の「カメラ」（図示を省略）を選択し、あるいはデバイスのカメラアプリを起動して、カメラアプリを開くと、カメラモードがＯＮとなる。
【００４１】
カメラアプリが開かれると、スマートフォン３０からカメラモードＯＮ信号が送信され、これによりアナログ電子時計１では、通信間隔を計測開始し、機能針３ａが「カメラアプリ起動中」のアイコン４ｄへ移動（図９参照）し、ファンクションボタン６の機能がカメラシャッターとなる。
【００４２】
ファンクションボタン６を押すと、本例においては５秒間のカウントダウンを開始し、１秒毎にバイブレーションが振動する（図１０参照）。そして、前記通信タイミングでボタン（ファンクションボタン６）が押されたことをスマートフォン３０へ連絡する。つまりカメラシャッターＯＮ信号が送信され、ボタンが押された瞬間から通信タイミングまでの間隔を連絡する。
【００４３】
アナログ電子時計１からカメラシャッターＯＮ信号が送信されると、図１１に示すように、通信間隔５秒から通信タイミングまでのロス時間を引いたカウントダウン時間をスマートフォン３０の表示面３８に表示する。なお、この点に関しては後に詳述する。
【００４４】
図１１において、表示面３８の下端中央にシャッター用のアイコン３８ａ、表示面３８の上端右側にはカメラモード終了用のアイコン３８ｂ、また、表示面３８の上端右側にはフラッシュ用のアイコン３８ｃが、それぞれ設けられている。図１１に示すカウントダウンの状態において、例えばアイコン３８ａが押されると、当該カウントダウン中にあってもシャッターが優先して作動され、アイコン３８ｂが押されると当該カウントダウン中にあってもカメラモードが終了する。また、アイコン３８ｃが押されると、シャッター時にフラッシュが作動される。
【００４５】
さらに、図１２に示すカウントダウン「４」「３」、図１３のカウントダウン「２」「１」を経て、つまりカウントダウン後に、スマートフォン３０のカメラシャッターが作動する。アナログ電子時計１では、上述したバイブレーションが、スマートフォン３０のカウントダウン「５」「４」「３」「２」「１」に同期して振動する。
【００４６】
スマートフォン３０のカメラシャッターが作動すると、図１４に示すように、スマートフォン３０の表示面３８は暗転するとともに瞬時にシャッター時の被写体画面が表示され、カメラアプリが閉じられる。
【００４７】
スマートフォン３０のカメラアプリを閉じると、カメラモードＯＦＦ信号が送信され、これによりアナログ電子時計１では、機能針３ａが元の位置（例えば従前の「ブルートゥース接続ＯＮ」のアイコン４ａの位置）に戻り、ファンクションボタン６の機能も元に戻る。
【００４８】
本例の撮像遠隔操作システムは上述のように構成され、スマートフォンがカメラモードになるとアナログ電子時計の機能針が回動してカメラアイコンを指すので、双方が連動していることが視認できる。そして、アナログ電子時計のファンクションボタンが押されると、所定時間のカウント動作がアナログ電子時計とスマートフォンの双方で連動してなされるところ、この連動は、スマートフォンにおいてはその表示面にカウントダウンの数字が表示される一方、アナログ電子時計においてはバイブレーションが作動されるので、当該カウントダウンを視覚的および触覚的に認識することができる。さらに、所定時間後にスマートフォンのシャッターが作動して当該スマートフォンがカメラモードＯＦＦになると、アナログ電子時計の機能表示部の機能針が回動して、回動前の位置に復帰するので、この機能針の元の位置への復帰をもって、カメラによる撮影が完了したことを確認することができることとなる。
【００４９】
本例の撮像遠隔操作システムにおいて、ファンクションボタン６を操作すると、電子時計１においてカウントダウン振動を行うプログラムを起動するとともに、スマートフォン３０へカメラシャッターＯＮ信号を送信する。するとアナログ電子時計１のカウントダウン振動とスマートフォン３０の後述するカウントダウン表示が開始される。ところが、アナログ電子時計１とスマートフォン３０間の通信間隔（本例では５秒間）があるので、アナログ電子時計１のカウントダウン振動とスマートフォン３０のカウントダウン表示との間にズレを生じ得る。そこで、このズレを解消させるために、前述したように、ボタンが押された瞬間から通信タイミングまでの間隔を連絡する構成を備えている。
【００５０】
この構成は、次のとおりである。
（１）本例における５秒間隔の通信タイミングが、例えば、「１２：００：００」→「１２：００：０５」で、ファンクションボタン６の操作時が「１２：００：０２」とすると、「１２：００：０５」の通信タイミング時に生じるボタン操作時との差「３秒」を、この「１２：００：０５」の通信タイミングでスマートフォン３０へ送信する。
（２）撮影タイミングは、ファンクションボタン６の操作時「１２：００：０２」の５秒後、つまり「１２：００：０７」となる一方で、通信タイミングは「１２：００：０５」であり、撮影はその「２秒」後となる。
（３）アナログ電子時計１は、ファンクションボタン６の操作時「１２：００：０２」から「５」〜とカウントダウン振動が開始されている一方で、スマートフォン３０の方は、通信タイミング「１２：００：０５」より後になるので、爾後「２」「１」と表示されることとなる。
【００５１】
また、上述した方法とは異なり、次のようにすることもできる。すなわち、本例における５秒間隔の通信タイミングが、前例のように、「１２：００：００」→「１２：００：０５」で、ファンクションボタン６の操作時が「１２：００：０２」とすると、前記の「１２：００：０５」の通信タイミングではなくその前の「１２：００：００」の通信タイミングと、ボタン操作時との差「２秒」を、この「１２：００：０５」の通信タイミングでスマートフォン３０へ送信する。撮影タイミングは前記（２）と同様である。なお、上記のカウントダウンの時間は、上記５秒のほかに、例えば１０秒のカウントダウンとするなど、適宜の時間を採用することもできる。
【００５２】
以上のように、アナログ電子時計１のタイマー開始指示信号の送信と前記通信タイミングとの間に時間差を生じても、アナログ電子時計１のカウントダウン振動とスマートフォン３０のカウントダウン表示とを同期させるので、スマートフォン３０と電子時計１との間に生じ得る時間差に起因する表示および作動の不具合を解消することができる。このように、ファンクションボタン６を押した瞬間に送信を行わずに、通信タイミングで当該送信を行うと、可能な限り通信を少なくできて電力消費量を低減することが可能となり、これにより電池寿命を長くすることができる。
【００５３】
なお、本例における各部の構成は、特許請求の範囲に記載した技術的範囲において適宜に設計変更が可能であり、図例説明したものに限定されないことは勿論である。
【産業上の利用可能性】
【００５４】
本発明は、腕時計型のアナログ電子時計として、さらにアナログ電子時計を用いるスマートフォンの撮像遠隔操作システムとして、好適に利用することが可能である。
【符号の説明】
【００５５】
１    アナログ電子時計
２    指針
２ａ    時針
２ｂ    分針
２ｃ    秒針
３    機能表示部
３ａ    機能針
４    アイコン
４ａ    ブルートゥース接続ＯＮのアイコン
４ｂ    ブルートゥース接続ＯＦＦのアイコン
４ｃ    アラーム通知のアイコン
４ｄ    カメラアイコン（カメラアプリ起動中のアイコン）
４ｅ    メール・アプリ通知ありのアイコン
４ｆ    電話着信有のアイコン
５    リューズ
６    ファンクションボタン
７    ブルートゥースボタン
１１    制御部
１２    ブルートゥース通信部
１３    記憶部
１４    計時回路
１５    駆動回路
１６    駆動回路
１７    スイッチ
１８    ステッピングモータ
１９    時針分針
２０    機能針
２１    振動部
２２、２３、２４    ムーブメント
２２ａ    時分針用ムーブメント本体
２２ｂ    時分針用筒車軸
２３ａ    機能針用ムーブメント本体
２３ｂ    機能針用筒車軸
２４ａ    秒針用ムーブメント本体
２４ｂ    秒針用筒車軸
２５    回路基板
２６    電子部品
３０    スマートフォン
３１    制御部
３２    ブルートゥース通信部
３３    記憶部
３４    アプリ
３５    カメラ
３６    ＳＰ
３７    振動部
３８    表示面
３８ａ    表示面に表示されたシャッターアイコン
３８ｂ    表示面に表示されたカメラモード終了のアイコン
３８ｃ    表示面に表示されたフラッシュのアイコン
【図１】
2018204967.tif 000003
【図２】
2018204967.tif 000004
【図３】
2018204967.tif 000005
【図４】
2018204967.tif 000006
【図５】
2018204967.tif 000007
【図６】
2018204967.tif 000008
【図７】
2018204967.tif 000009
【図８】
2018204967.tif 000010
【図９】
2018204967.tif 000011
【図１０】
2018204967.tif 000012
【図１１】
2018204967.tif 000013
【図１２】
2018204967.tif 000014
【図１３】
2018204967.tif 000015
【図１４】
2018204967.tif 000016